(57)【要約】【課題】装着中に手関節や腕を動かしても、尺骨を適切に圧迫することができる手関節用装具を提供すること。【解決手段】本発明に係る手関節用装具は、手首周囲を被覆する本体部と、前記本体部に設けられる押圧部材と、を備え、前記押圧部材が、尺骨を挟み込むように前記尺骨の少なくとも一部を圧迫する。前記押圧部材は、少なくとも２つの押圧部を有し、前記少なくとも２つの押圧部が、尺骨を挟んで前記尺骨に対し平行に設けられることが好ましい。前記少なくとも２つの押圧部は、凸部又は弾性部でありうる。【選択図】図２
2020171465.tif 000002
【特許請求の範囲】
【請求項１】
手首周囲を被覆する本体部と、
前記本体部に設けられる押圧部材と、を備え、
前記押圧部材が、尺骨を挟み込むように前記尺骨の少なくとも一部を圧迫する、手関節用装具。
【請求項２】
前記押圧部材が、少なくとも２つの押圧部を有し、
前記少なくとも２つの押圧部が、尺骨を挟んで前記尺骨に対し平行に設けられる、請求項１に記載の手関節用装具。
【請求項３】
前記少なくとも２つの押圧部が、凸部である請求項２に記載の手関節用装具。
【請求項４】
前記少なくとも２つの押圧部が、弾性部である請求項２に記載の手関節用装具。
【請求項５】
前記少なくとも２つの押圧部の尺骨に対し平行な方向の長さが２０ｍｍ以上１００ｍｍ以下である、請求項２〜４のいずれか一項に記載の手関節用装具。
【請求項６】
前記少なくとも２つの押圧部の厚さが２ｍｍ以上１５ｍｍ以下である、請求項２〜５のいずれか一項に記載の手関節用装具。
【請求項７】
前記本体部が、中央部と、２つの端部とからなり、
前記２つの端部の少なくとも一方が前記中央部よりも幅広であり、
前記押圧部材が前記幅広である端部に設けられている、請求項１〜６のいずれか一項に記載の手関節用装具。
【請求項８】
前記本体部が、開口部を有する指挿入部をさらに備え、
前記本体部は、前記指挿入部を指に装着した後、前記押圧部材で尺骨を挟み込むように前記尺骨の少なくとも一部を圧迫し、掌側から甲側に回して手首周囲を被覆する、請求項１〜７のいずれか一項に記載の手関節用装具。
【発明の詳細な説明】
【技術分野】
【０００１】
本発明は、手関節の損傷、特にＴＦＣＣ損傷の患者の手関節部位に装着され、手関節を固定する手関節用装具に関する。
【背景技術】
【０００２】
手関節を捻ったり、スポーツや仕事で手関節を過度に使用したりしたときに、手関節を損傷することがある。代表的な疾患として、三角線維軟骨複合体損傷がある。この疾患は、ＴＦＣＣ損傷（Ｔｒｉａｎｇｕｌａｒ  Ｆｉｂｒｏｃａｒｔｉｌａｇｅ  Ｃｏｍｐｌｅｘ  Ｉｎｊｕｒｉｅｓ）とも呼ばれ、手関節の荷重の分散やクッションの役割をする三角線維軟骨複合体（ＴＦＣＣ）に過度なストレスがかかることにより生じる疾患である。このＴＦＣＣ損傷は、手関節や腕の動作等により痛みが生じる。
【０００３】
ＴＦＣＣ損傷による痛みを軽減する手関節用装具として、特許文献１には、保形性を損なわない程度の硬さと弾性を有し、手関節の尺側または橈側で、前腕骨と近位手根骨列との間に圧入されて両者の間隙を保持する圧迫パッドを備える手関節用装具が開示されている。また、特許文献２には、尺骨茎状突起を手の背側から掌側方向に押圧する押圧部材を有するリストバンドが開示されている。
【先行技術文献】
【特許文献】
【０００４】
【特許文献１】特開２００３−０６１９９５号公報
【特許文献２】特開２００３−０１９１５１号公報
【発明の概要】
【発明が解決しようとする課題】
【０００５】
しかし、従来の手関節用装具は、装着中に手関節や腕を動かすと尺骨を圧迫する押圧部材がずれてしまい、適切に尺骨を圧迫することができない場合があった。そこで、本発明は、装着中に手関節や腕を動かしても、尺骨を適切に圧迫することができる手関節用装具を提供することを目的とする。
【課題を解決するための手段】
【０００６】
本発明者らは、手関節用装具に尺骨を挟み込むように圧迫する部材を設けることで、上記課題を解決できることを見出した。
【０００７】
すなわち、本発明は、手首周囲を被覆する本体部と、前記本体部に設けられる押圧部材と、を備え、前記押圧部材が、尺骨を挟み込むように前記尺骨の少なくとも一部を圧迫する、手関節用装具である。
【発明の効果】
【０００８】
本発明に係る手関節用装具は尺骨を圧迫する押圧部材がずれにくいため、装着中に手関節や腕を動かしても、尺骨を適切に圧迫することができる。なお、ここに記載された効果は、必ずしも限定されるものではなく、本明細書中に記載されたいずれかの効果であってもよい。
【図面の簡単な説明】
【０００９】
【図１】右手の概略図である。
【図２】右手と本発明の一実施形態に係る手関節用装具の押圧部材との関係を示す模式図である。
【図３】本発明の一実施形態に係る手関節用装具の開いた状態の外側面を示す模式図である。
【図４】本発明の一実施形態に係る手関節用装具の開いた状態の内側面を示す模式図である。
【図５】本発明における押圧部材の変形例を示す模式図である。
【図６】本発明の一実施形態に係る手関節用装具の装着手順を示す模式図である。
【図７】本発明の一実施形態に係る手関節用装具の装着手順を示す模式図である。
【図８】本発明の一実施形態に係る手関節用装具の装着手順を示す模式図である。
【図９】本発明の一実施形態に係る手関節用装具の装着後の状態を示す模式図である。
【発明を実施するための形態】
【００１０】
以下、本発明を実施するための好適な実施形態について図面を参照して説明する。なお、以下に説明する実施形態は、本発明の代表的な実施形態の一例を示したものであり、これにより本発明の範囲が限定されることはない。また、本発明は、下記の実施例及びその変形例のいずれかを組み合わせることもできる。
【００１１】
（１）本発明の概要
まず、本発明の概要について図１及び図２を用いて説明する。
図１は右手ＲＨの概略図であり、図２（ａ）は右手ＲＨと本発明の一実施形態に係る手関節用装具１の押圧部材２４との関係を示す断面図であり、図２（ｂ）は右手ＲＨを掌側から見た場合の右手ＲＨと本発明の一実施形態に係る手関節用装具１の押圧部材２４との関係を示す側面図である。なお、図２においては、押圧部材２４と右手ＲＨの骨との位置関係を示すために、手関節用装具１の本体部２の図示を省略する。
図１に示すように、右手ＲＨには、母指側に位置する橈骨Ｒと小指側に位置する尺骨Ｕとがある。また、橈骨Ｒと尺骨Ｕとの間には遠位橈尺関節Ｄがあり、三角線維軟骨複合体Ｔが橈骨Ｒ及び尺骨Ｕをつなぎ、遠位橈尺関節Ｄの安定化に寄与している。
【００１２】
三角線維軟骨複合体Ｔが損傷することにより生じるＴＦＣＣ損傷は、手関節を小指側の方向に曲げたり（尺屈）、手首を回旋させたりするときに、手関節に痛みが生じる。
【００１３】
本発明者らは、ＴＦＣＣ損傷による手関節の痛みを軽減するために、尺骨Ｕを圧迫する方法を検討した。しかしながら、図２（ａ）に示すように尺骨Ｕは小指側にやや突起のある形状をしているため、単に尺骨Ｕ側を圧迫する部材を設けても、手関節や腕の動作によって当該部材の位置がずれやすく、尺骨Ｕを適切に圧迫できない場合があった。
【００１４】
以上のような状況に鑑み、本発明者らは本発明を完成した。本発明者らは、図２（ａ）及び（ｂ）に示すように、尺骨Ｕを挟み込むように尺骨Ｕの少なくとも一部を圧迫する押圧部材２４を設けることで、手関節や腕の動作を行っても尺骨Ｕに対する押圧部材２４の位置がずれにくく、適切に尺骨Ｕを圧迫できることを見出した。
この押圧部材２４によれば、手関節の尺屈を適度に制限することができ、手関節の尺屈による手関節の痛みを抑制することができる。また、押圧部材２４によれば、手首の回旋動作を行っても橈骨Ｒと尺骨Ｕが離れることを抑えることができ、手首の回旋動作による手関節の痛みも抑制することができる。
【００１５】
（２）手関節用装具１の構成
図２〜図５を用いて、本発明の一実施形態に係る手関節用装具１の構成について説明する。なお、各図面において共通する符号については、特に必要のない限り説明を省略する。
【００１６】
図３は、本実施形態に係る手関節用装具１の開いた状態の外側面を示す模式図である。ここで、外側面とは、手関節用装具１を手に装着したときに手に接しない外側の面である。図４は、本実施形態に係る手関節用装具１の開いた状態の内側面を示す模式図である。ここで、内側面とは、手関節用装具１を装着したときに手に接する内側の面である。図５は、押圧部材２４の変形例を示す模式図である。
【００１７】
本実施形態に係る手関節用装具１は、本体部２を少なくとも備え、さらに指挿入部３と固定ベルト４を備えていてもよい。本体部２は、手首周囲を被覆するための部材である。本体部２の内側面には、尺骨Ｕを圧迫する押圧部材２４が設けられている。指挿入部３は本体部２を手首に巻き付ける際に指を挿入する帯状体であり、本体部２とは連結部３０で固定されている。また、固定ベルト４は本体部２の外側面に巻き付けられる帯状体である。以下、各部についてより詳細に説明する。
【００１８】
（２−１）本体部２について
本体部２は、手首周囲を被覆するための部材である。本体部２の形状は、手首周囲を被覆できるものであれば特に限定されないが、例えば横長の帯状体や、チューブ状の筒状体、手と手首の外形状にそのままフィットするグローブ状の形態等であってもよい。患者の手の大きさや患部の状態に応じて手関節用装具１の固定力を変更可能にすることができる点から、図３に示すような横長の帯状体とすることが好ましい。
【００１９】
本実施形態における本体部２は中央部２１と２つの端部２２及び２３とからなる。好ましくは、中央部２１は本体部２を手首に巻き付けた際に手首の橈骨Ｒに当たる部分であり、２つの端部２２及び２３は手首の尺骨Ｕに当たる部分である。
２つの端部２２及び２３の形状は、固定が必要な尺骨Ｕ側の関節部位をしっかりと固定できるのであれば特に限定されず、例えば多角形状、円形状等とすることができる。また、端部２２を略五角形状とし、端部２３を略六角形状とする等、２つの端部２２及び２３が互いに異なる形状であってもよい。
【００２０】
２つの端部２２及び２３は、少なくとも一方が中央部２１より幅広であることが好ましく、両方が中央部２１より幅広であることが更に好ましい。端部２２及び／又は端部２３が中央部２１より幅広であることで、尺骨Ｕ側をより安定して固定することができる。一方、中央部２１が端部２２及び／又は端部２３より幅狭であることで、尺骨Ｕ側を安定して固定しつつも、橈骨Ｒ側の固定面積を最小限にすることができるため、物を掴む等の手の動作を妨げる影響を少なくすることができる。つまり、幅広である端部２２及び／又は２３が尺骨Ｕに当たるように本体部２を装着することで、固定が必要な尺骨Ｕ側の関節部位のみをしっかりと固定し、かつ物を掴む等の手の動作を妨げる影響を少なくすることができる。
【００２１】
本実施形態において、中央部２１の長さは３０ｍｍ以上９０ｍｍ以下であることが好ましい。また、中央部２１の幅は３０ｍｍ以上８０ｍｍ以下であることが好ましい。一方、２つの端部２２及び２３の長さは４０ｍｍ以上１００ｍｍ以下であることが好ましい。また、中央部２１の幅は４０ｍｍ以上１２０ｍｍ以下であることが好ましい。
【００２２】
本実施形態における本体部２の外側面は、本体部２の内側面の端部を固定したり、後述する指挿入部３を係着させたりするために、糸状素材がループ状に起毛されている面ファスナとすることが好ましい。
また、端部２３の内側面には、本体部２の外側面に固定するための固定端部２５を設けてもよい。固定端部２５としては、ループ状の面ファスナを設けた本体部２の外側面に係着して固定するために、フック状に起毛した面ファスナを設けることが好ましい。これにより、本体部２を手首に巻き付けたあと、本体部２の外側面と係着させて、任意の強さで本体部２を手首に固定することができる。
なお、本体部を手首周囲に被覆して固定する方法としては、本体部の外側面と内側面に係着手段として面ファスナを設ける方法に限らず、面ファスナ以外の公知の固定手段を採用することができ、例えばバックル、スナップボタン、紐等を用いてもよい。
【００２３】
本体部２を構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００２４】
また、本体部２の編成としては、経編又は緯編の各種編組織が利用でき、例えば、ダブルラッセル生地、平編生地、ゴム編（リブ編）生地、パール編生地、タック編生地、丸編生地、横編生地、トリコット生地、ラッセル生地、パイル編生地、添え糸編生地等が利用できる。
ここで、ダブルラッセル生地は一本の糸から編目を作りながらループと呼ばれる輪をつなぎ合わせて作り、ループがもつ弾力性で伸長力に寄与することができ、このループから空気を透過させる事ができる。このため、ダブルラッセル生地を用いることにより、通気性を確保することができる。
【００２５】
（２−１−１）押圧部材２４について
図４に示すように、本実施形態に係る手関節用装具１は、本体部２の内側面に押圧部材２４を備える。押圧部材２４は、本体部２を装着したときに尺骨Ｕに当たる位置に設けられ、好ましくは端部２２の内側面に設けられる。本実施形態において、押圧部材２４で尺骨Ｕを挟み込むように尺骨Ｕの少なくとも一部を圧迫することで、手関節の尺屈を適度に制限することができ、手関節の尺屈による手関節の痛みを抑制することができる。また、押圧部材２４によれば、手首の回旋動作を行っても橈骨Ｒと尺骨Ｕが離れることを抑えることができ、手首の回旋動作による手関節の痛みも抑制することができる。
【００２６】
ここで、本実施形態における押圧部材２４について図２、図４及び図５を用いて詳細に説明する。
本実施形態における押圧部材２４は、好ましくは尺骨Ｕを圧迫する２つの押圧部２４ａ及び２４ｂを有し、当該２つの押圧部２４ａ及び２４ｂが尺骨Ｕを挟み込むように尺骨Ｕの少なくとも一部を圧迫する。このことにより、装着中に手関節や腕を動かしても、押圧部材２４が尺骨Ｕからずれにくく、適切な位置で尺骨Ｕを圧迫し続けることができる。なお、当該押圧部は少なくとも２つあればよく、３つ又は４つ以上であってもよい。
２つの押圧部２４ａ及び２４ｂは、図２（ｂ）に示すように尺骨Ｕを挟んで尺骨Ｕに対し平行に設けられることが好ましい。このことにより、装着感を損なわず、簡易な構成で尺骨Ｕを適切に圧迫することができる。また、２つの押圧部２４ａ及び２４ｂは、尺骨Ｕだけでなく、手関節も圧迫することができる位置に設けられることが好ましい。
【００２７】
２つの押圧部２４ａ及び２４ｂの形状は、尺骨Ｕを挟み込むように尺骨Ｕの少なくとも一部を圧迫できるものであれば特に限定されないが、例えば直方体状や円筒形状であってもよく、凸部や弾性部であってもよい。また、図５（ａ）に示すように、凸部である２つの押圧部２４ａ及び２４ｂが基部２４ｃとともに一体成型されていてもよく、図５（ｂ）に示すように、凸部である２つの押圧部２４ａ及び２４ｂが別体であってもよい。さらなる変形例として、図５（ｃ）に示すように、２つの押圧部２４ａと２４ｂとの間に当該２つの押圧部２４ａ及び２４ｂよりも軟質で、弾性の高い部材２４ｄをさらに有し、２つの押圧部２４ａ及び２４ｂが弾性部となっていてもよい。
手関節や尺骨Ｕの動きに対する適度な制限と圧迫を加えるための好ましい態様としては、押圧部材２４が、尺骨Ｕを挟んで尺骨Ｕに対し平行に設けられる２つの押圧部を有し、当該２つの押圧部が凸部であり、弾性を有する態様である。
【００２８】
本実施形態において、２つの押圧部２４ａ及び２４ｂの尺骨Ｕに対し平行な方向の長さは２０ｍｍ以上１００ｍｍ以下であることが好ましく、４０ｍｍ以上７０ｍｍ以下であることが更に好ましい。上記の長さであることによって、尺骨Ｕを適切に圧迫しつつ、小指側の手関節も適切に圧迫することができるため、手関節の尺屈を制限しつつ、手首の回旋による手関節の痛みも抑制することができる。
また、２つの押圧部２４ａ及び２４ｂの幅は１０ｍｍ以上２５ｍｍ以下であることが好ましい。上記の幅であることによって、装着感を損なわずに、尺骨Ｕを適切に圧迫することができる。
さらに、２つの押圧部２４ａ及び２４ｂの厚さは２ｍｍ以上１５ｍｍ以下であることが好ましく、４ｍｍ以上８ｍｍ以下であることが好ましい。上記の厚さであることによって、装着感を損なわずに、尺骨Ｕを適度な強さで圧迫することができる。なお、２つの押圧部２４ａ及び２４ｂと基部２４ｃとを一体成型する場合、基部２４ｃの厚さは１ｍｍ以上４ｍｍ以下であることが好ましい。上記の厚さであることによって、装着感を損なわない。
また、２つの押圧部２４ａと２４ｂとの間隔は５ｍｍ以上２０ｍｍ以下であることが好ましい。上記の間隔であることによって、２つの押圧部２４ａ及び２４ｂが尺骨Ｕを適切に圧迫でき、押圧部材２４が尺骨Ｕからずれにくくなる。
２つの押圧部２４ａ及び２４ｂの硬さはアスカーゴム硬度計Ｃ型で５以上２０以下であることが好ましい。上記の硬さであることによって、尺骨Ｕを適度な強さで圧迫することができる。
【００２９】
押圧部材２４の素材としては、ポリウレタン、クロロプレンゴム、ポリエステル、ポリプロピレン、アクリルなどの樹脂素材、又は発泡体素材を用い、弾性特性を付与ることができる。さらに、上記本体部２を構成する糸素材により構成されている生地で押圧部材２４を覆った状態で、本体部２の端部２２に縫製又は熱溶着されていることが好ましい。
【００３０】
（２−２）指挿入部３について
指挿入部３は、本体部２を手首に巻き付ける際に指に挿入され、巻き付け後に指から外される帯状体である。なお、指挿入部３に挿入する指は、五指のうちどの指を使用してもよいが、指挿入部３を取り外しやすくするという観点から、母指であることが好ましい。
【００３１】
図３に示すように、指挿入部３は好ましくは２本の帯状体３ａ及び３ｂから構成される。２本の帯状体３ａ及び３ｂは連結部３０で本体部２に固定されており、２本の帯状体３ａ及び３ｂの間に指を挿入するための開口部３１を有する。指挿入部３を２本の帯状体で構成することで、１本の帯状体で構成したときに比べて指挿入部３の向きの変化に追従しやすくなり、指を挿入した際に本体部２と指挿入部３との間に浮きがなくぴったりと密着した状態で装着位置の確認をすることができるようになる。また、指挿入部３の自由端３２から連結部３０に向かって拡幅された形にすることにより、２本の帯状体３ａ、３ｂの間に形成される開口部３１の幅が広くなり、指挿入部３を指から取り外すことが容易になる。
連結部３０は、本体部２の中央軸Ｍに沿って固定されていることが好ましい。連結部３０を基点として指挿入部３を折り返し可能な構成にすることにより、手関節用装具１を右手にも左手にも使用することができる。
【００３２】
指挿入部３の自由端３２には、本体部２の外側面に着脱することができる着脱部３３が設けられていることが好ましい。着脱部３３は、公知の着脱手段を採用することができ、例えば面ファスナ、ボタン、フック、紐等であってもよい。これらの中で、本体部２に固定する際に嵩張らず、外観を損なわない着脱手段が好ましく、その中でも特に面ファスナであることが好ましい。着脱部３３は、自由端３２の少なくとも一方に設けられていればよい。着脱部３３を設けることで、指挿入部３を指から外した後、本体部２に固定することができ、指挿入部３がぶらぶらして手の動作等に影響を与えることなく使用でき、外観も損なわない。
【００３３】
指挿入部３の長手方向の長さは、指挿入部３を指から取り外しやすくするために６ｃｍ以上１２ｃｍ以下であることが好ましい。指挿入部３を上記の長さにすることにより、本体部２を装着する際に２つの端部２２及び２３が尺骨Ｕ側に当たるように装着位置を調節することができる。指挿入部３の厚さは、指挿入部３を取り外しやすく、かつ本体部２に固定する際に嵩張らないために、０．１ｍｍ以上５ｍｍ以下であることが好ましい。帯状体３ａ又は帯状体３ｂの幅はそれぞれ０．５ｃｍ以上３ｃｍ以下であることが好ましく、帯状体３ａ、３ｂが同じ幅であることがより好ましい。
【００３４】
指挿入部３を構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００３５】
また、指挿入部３の編成としては、経編又は緯編の各種編組織が利用でき、例えば、ダブルラッセル生地、平編生地、パール編生地、タック編生地、丸編生地、横編生地、ラッセル生地、パイル編生地、添え糸編生地等が利用できる。
【００３６】
（２−３）固定ベルト４について
固定ベルト４は、本体部２の外側面に備えられ、手関節をさらに圧迫する帯状体である。なお、固定ベルト４は本体部２の外側面のどの位置に固定されていてもよい。
【００３７】
図３に示すように、固定ベルト４の先端は、枝分かれ部４１ａ及び４１ｂで構成され、二股にすることが好ましい。先端を二股にすることで、固定ベルト４の固定する強さを微調整することができる。固定ベルト４の外側面は、固定ベルト４を固定するために、糸状素材がループ状に起毛されている面ファスナとすることが好ましい。ここで、固定ベルト４の外側面とは、固定ベルト４が本体部２に接しない面である。
固定ベルト４の枝分かれ部４１ａ及び４１ｂの先端の内側面にはフック状に起毛されている面ファスナ部４２ａ及び４２ｂが備えられている。固定ベルト４を手首に巻き付けた後、固定ベルト４の外側面と枝分かれ部４１ａ及び４１ｂとを係着させることで、任意の強さで固定ベルト４を固定することができる。ここで、固定ベルト４の内側面とは、固定ベルト４が本体部２に接する面である。
なお、固定ベルト４の外側面や内側面の係着手段は面ファスナに限らず、面ファスナ以外の公知の係着手段を採用することができ、例えばバックルやスナップボタン等を用いてもよい。
【００３８】
固定ベルト４を構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００３９】
固定ベルト４の編成としては、経編又は緯編の各種編組織が利用でき、例えば、ダブルラッセル生地、平編生地、パール編生地、タック編生地、丸編生地、横編生地、ラッセル生地、パイル編生地、添え糸編生地等が利用できる。
【００４０】
（３）手関節用装具の装着手順の一例
次に、本実施形態に係る手関節用装具１の装着手順の一例について、図６〜図９を参照しながら説明する。なお、各図面において共通する符号については、特に必要のない限り説明を省略する。本実施形態では、着用者の右手ＲＨに装着する手順の一例について説明する。なお、本発明に係る手関節用装具は、指挿入部３を右手着用時と上下反対側に折り曲げることで装着者の左右どちらの手にも装着することができる。
【００４１】
まず、指挿入部３を右手母指ＲＦに装着した後、右手ＲＨの掌側に本体部２の内側面を当て、端部２２に設けられた押圧部材２４で右手ＲＨの尺骨Ｕを挟み込むように尺骨Ｕの少なくとも一部を圧迫し、掌側から甲側に回して手首に巻き付ける。そして、端部２３に面ファスナを設けた固定端部２５を本体部２の外側面に係着させ図６に示すように固定する。
【００４２】
次に、図７に示すように、右手母指ＲＦに装着していた指挿入部３を外し、着脱部３３を用いて自由端３２を本体部２の外側面に固定する。このとき、指挿入部３を本体部２に密着させて固定することが好ましい。
【００４３】
そして、図８及び図９に示すように、固定ベルト４を引っ張り、掌側から甲側に回して手首に巻き付け、固定ベルト４の先端に設けられた面ファスナ部４２ａ及び４２ｂを用いて枝分かれ部４１ａ及び４１ｂを固定ベルト４の外側面に固定する。この際、固定ベルト４が指挿入部３を外側から固定するため、指挿入部３が本体部２と固定ベルト４との間に挟まれる。よって、指挿入部３が本体部２から外れてぶらぶらすることが抑えられる。
【００４４】
以上のように、本実施形態に係る手関節用装具１は、押圧部材２４で尺骨Ｕを挟み込むように尺骨Ｕの少なくとも一部を圧迫することで、装着中に手関節や腕を動かしても、押圧部材２４が尺骨Ｕからずれにくく、適切な位置で尺骨Ｕを圧迫し続けることができる。
【００４５】
また、本実施形態に係る手関節用装具１は、任意の構成として指挿入部３を設けることで、片手で容易に装着することができ、かつ装着後の手の動作を妨げずに尺骨Ｕ側を安定して固定することができる。
【符号の説明】
【００４６】
１  手関節用装具
２  本体部
３  指挿入部
４  固定ベルト
２１  中央部
２２、２３  端部
２４  押圧部材
２４ａ、２４ｂ  押圧部
２５  固定端部
Ｕ  尺骨
Ｒ  橈骨
ＲＨ  右手
ＲＦ  右手母指
【図１】
2020171465.tif 000003
【図２】
2020171465.tif 000004
【図３】
2020171465.tif 000005
【図４】
2020171465.tif 000006
【図５】
2020171465.tif 000007
【図６】
2020171465.tif 000008
【図７】
2020171465.tif 000009
【図８】
2020171465.tif 000010
【図９】
2020171465.tif 000011